(57)【要約】【課題】  スクリーンおける無用な画面の揺れを防止して画面品位が損なわれる不具合を解消するとともに、実施の容易性及び低コスト性を高める。【解決手段】  フォーカシングレンズ部２を支持するフォーカスリング３の外周部３ｓの周方向に沿って設けたラック部４に、フォーカシング用モータ５の回転シャフト５ｓに設けたピニオン部６を噛合させ、フォーカシング用モータ５によりフォーカスリング３を回動させてフォーカシング調整を行うプロジェクタＰのレンズ装置１を構成するに際して、フォーカシングレンズ部２とラック部４間に、フォーカシングレンズ部２側とラック部４側を機械的に分離する分離部Ｓｍを設け、この分離部Ｓｍに弾性部材７を介在させることによりフォーカシングレンズ部２側とラック部４側を結合し、フォーカシングレンズ部２とラック部４を相対的に弾性変位可能に構成する。【選択図】  図１
2011133520.tif 000002
【特許請求の範囲】
【請求項１】
フォーカシングレンズ部を支持するフォーカスリングの外周部の周方向に沿って設けたラック部に、フォーカシング用モータの回転シャフトに設けたピニオン部を噛合させ、前記フォーカシング用モータの作動により前記フォーカスリングを回動させてフォーカシング調整を行う電動フォーカシング機構を備えるプロジェクタのレンズ装置において、前記フォーカシングレンズ部と前記ラック部間に、前記フォーカシングレンズ部側と前記ラック部側を機械的に分離する分離部を設け、この分離部に弾性部材を介在させることにより前記フォーカシングレンズ部側と前記ラック部側を結合し、前記フォーカシングレンズ部と前記ラック部を相対的に弾性変位可能に構成したことを特徴とするプロジェクタのレンズ装置。
【請求項２】
前記フォーカスリングを前リング部と後リング部に二分割し、この前リング部と後リング部間の軸方向に、圧縮させた前記弾性部材を介在させ、かつ軸方向の所定範囲にわたって相対的に弾性変位可能に結合するとともに、前記前リング部と前記後リング部間の放射方向に所定のクリアランスを設けることにより、所定範囲にわたって相対変位可能に構成したことを特徴とする請求項１記載のプロジェクタのレンズ装置。
【請求項３】
前記フォーカスリングの内部に配した前記フォーカシングレンズ部を支持するレンズホルダと当該フォーカスリングとを別体に構成し、このフォーカスリングと前記レンズホルダ間の軸方向に、圧縮させた前記弾性部材を介在させ、かつ軸方向の所定範囲にわたって相対的に弾性変位可能に結合するとともに、前記フォーカスリングと前記レンズホルダ間の放射方向に所定のクリアランスを設けることにより、所定範囲にわたって相対変位可能に構成したことを特徴とする請求項１又は２記載のプロジェクタのレンズ装置。
【請求項４】
前記弾性部材による加圧力の大きさを調整可能な加圧力調整部を備えることを特徴とする請求項１，２又は３記載のプロジェクタのレンズ装置。
【請求項５】
前記クリアランスには、弾性部材を介在させることを特徴とする請求項２，３又は４記載のプロジェクタのレンズ装置。
【発明の詳細な説明】
【技術分野】
【０００１】
本発明は、フォーカシング用モータによりフォーカスリングを回動させてフォーカシング調整を行う電動フォーカシング機構を備えるプロジェクタのレンズ装置に関する。
【背景技術】
【０００２】
一般に、プロジェクタは投射用のレンズ装置を搭載するが、特に、リモートコントロール（リモコン）等によりフォーカシングを行うことができる電動式のレンズ装置では、フォーカシングレンズ部を支持するフォーカスリングの外周部の周方向に沿って設けたラック部に、フォーカシング用モータの回転シャフトに設けたピニオン部を噛合させ、前記フォーカシング用モータの作動によりフォーカスリングを回動させてフォーカシング調整を行う電動フォーカシング機構を備えている。
【０００３】
従来、このような電動フォーカシング機構を備えたレンズ装置（プロジェクタ）としては、特許文献１に開示されるレンズ装置が知られており、同文献１には、外周部にギア部が設けられ、このギア部の回転状態に応じて光軸方向に移動される投射レンズと、ギア部を回転駆動する駆動モータと、投射レンズの光軸方向の位置を調整するための操作部と、この操作部による入力状態およびこの入力状態の継続時間を検出し、この検出結果に応じて駆動モータの回転方向および連続駆動時間をそれぞれ駆動制御するＣＰＵとを備えているプロジェクタ（レンズ駆動装置）が記載されている。
【先行技術文献】
【特許文献】
【０００４】
【特許文献１】特開２００６−１０６５８１号公報
【発明の概要】
【発明が解決しようとする課題】
【０００５】
しかし、上述した従来のプロジェクタに備えるレンズ装置は、次のような問題点があった。
【０００６】
第一に、駆動モータが回転を開始する際に、ショック（衝撃）によりレンズ装置に無用な振れを生じる場合がある。この現象は、レンズ装置が小型の場合にはほとんど生じないが、レンズ装置が大型化して重量（モーメント）が大きくなった場合には、駆動モータが回転を開始してもフォーカスリングがスムースに追従せず、また、駆動モータとフォーカシングレンズ部間にはギア噛合部分が存在することから、少なからずレンズ装置に振れを生じてしまう。特に、レンズ装置の振れは、スクリーン上の画面の揺れとなるため、画面品位を損ねてしまう。この問題は、プロジェクタの大型化や交換レンズタイプの商品化に伴う様々な交換レンズの装着により顕在化し、業務用プロジェクタの場合には無視できない重要な課題となる。
【０００７】
第二に、このような衝撃の発生する現象をできるだけ抑制するには、例えば、レンズ装置における機械的な精度をより高めたり、プロジェクタ本体の剛性をより高めるなどの対策を行うことも可能であるが、十分な抑制効果を得るためには、相応のコストが必要になるなど、実施の容易性及び低コスト性の観点から難があるとともに、対策を講じるとしても限界がある。
【０００８】
本発明は、このような背景技術に存在する課題を解決したプロジェクタのレンズ装置の提供を目的とするものである。
【課題を解決するための手段】
【０００９】
本発明は、上述した課題を解決するため、フォーカシングレンズ部２を支持するフォーカスリング３の外周部３ｓの周方向に沿って設けたラック部４に、フォーカシング用モータ５の回転シャフト５ｓに設けたピニオン部６を噛合させ、フォーカシング用モータ５の作動によりフォーカスリング３を回動させてフォーカシング調整を行う電動フォーカシング機構Ｍｆを備えるプロジェクタＰのレンズ装置１を構成するに際して、フォーカシングレンズ部２とラック部４間に、フォーカシングレンズ部２側とラック部４側を機械的に分離する分離部Ｓｍを設け、この分離部Ｓｍに弾性部材７を介在させることによりフォーカシングレンズ部２側とラック部４側を結合し、フォーカシングレンズ部２とラック部４を相対的に弾性変位可能に構成したことを特徴とする。
【００１０】
この場合、発明の好適な態様により、フォーカスリング３を前リング部３ｆと後リング部３ｒに二分割し、この前リング部３ｆと後リング部３ｒ間の軸方向Ｆａに弾性部材７を介在させ、かつ軸方向Ｆａの所定範囲にわたって相対的に弾性変位可能に結合するとともに、前リング部３ｆと後リング部３ｒ間の放射方向Ｆｒに所定のクリアランスＣｒを設けることにより、所定範囲にわたって相対変位可能に構成してもよいし、或いはフォーカスリング３の内部に配したフォーカシングレンズ部２を支持するレンズホルダ８と当該フォーカスリング３とを別体に構成し、このフォーカスリング３とレンズホルダ８間の軸方向Ｆａ弾性部材７を介在させ、かつ軸方向Ｆａの所定範囲にわたって相対的に弾性変位可能に結合するとともに、フォーカスリング３とレンズホルダ８間の放射方向Ｆｒに所定のクリアランスＣｒを設けることにより、所定範囲にわたって相対変位可能に構成してもよい。また、弾性部材７による加圧力の大きさを調整可能な加圧力調整部９を設けることもできる。さらに、クリアランスＣｒには弾性部材７ｅを介在させることもできる。
【発明の効果】
【００１１】
このような構成を有する本発明に係るプロジェクタのレンズ装置１によれば、次のような顕著な効果を奏する。
【００１２】
（１）  フォーカシングレンズ部２とラック部４間の分離部Ｓｍに弾性部材７を介在させたため、フォーカシング用モータ５が回転を開始する際に、ショック（衝撃）が発生した場合であっても、弾性部材７により当該衝撃を有効に吸収することができる。これにより、フォーカシングレンズ部２側への衝撃の伝播を遮断することができ、スクリーン上における無用な画面の揺れを防止して画面品位が損なわれる不具合を解消できる。特に、レンズ装置１が大型化（重量アップ）した場合に、より大きな効果を得ることができる。
【００１３】
（２）  基本的には、フォーカシングレンズ部２とラック部４間に、弾性部材７を介在させれば足りるため、少ない部品点数と一部改良により容易に実施できる。したがって、レンズ装置１の機械的な精度を高めたり、プロジェクタ本体の剛性を高めるなどの他の対策はほとんど不要になるなど、実施の容易性及び低コスト性に優れる。
【００１４】
（３）  好適な態様により、フォーカスリング３を前リング部３ｆと後リング部３ｒに二分割し、この前リング部３ｆと後リング部３ｒ間の軸方向Ｆａに弾性部材７を介在させ、かつ軸方向Ｆａの所定範囲にわたって相対的に弾性変位可能に結合するとともに、前リング部３ｆと後リング部３ｒ間の放射方向Ｆｒに所定のクリアランスＣｒを設けることにより、所定範囲にわたって相対変位可能に構成すれば、弾性部材７は、フォーカシング用モータ５（ラック部４）に対してより近い位置に配することができるため、衝撃吸収に係わる効果をより高めることができる。
【００１５】
（４）  好適な態様により、フォーカスリング３の内部に配したフォーカシングレンズ部２を支持するレンズホルダ８と当該フォーカスリング３とを別体に構成し、このフォーカスリング３とレンズホルダ８間の軸方向Ｆａに弾性部材７を介在させ、かつ軸方向Ｆａの所定範囲にわたって相対的に弾性変位可能に結合するとともに、フォーカスリング３とレンズホルダ８間の放射方向Ｆｒに所定のクリアランスＣｒを設けることにより、所定範囲にわたって相対変位可能に構成すれば、本来、別体に構成することが多いレンズホルダ８とフォーカスリング３間に、弾性部材７を配することができるため、更なる実施の容易化に寄与できる。
【００１６】
（５）  好適な態様により、弾性部材７による加圧力の大きさを調整可能な加圧力調整部９を設ければ、使用状態等に応じて加圧力の大きさを最適化し、衝撃吸収に係わる効果をより高めることができる。
【００１７】
（６）  好適な態様により、クリアランスＣｒに、弾性部材７ｅを介在させれば、フォーカシングレンズ部２側とラック部４側の放射方向Ｆｒ及び軸方向Ｆａの双方における位置的な安定性及び精度をより高めることができる。
【図面の簡単な説明】
【００１８】
【図１】本発明の好適実施形態に係るレンズ装置の平面断面図、
【図２】同レンズ装置の要部を示す図１中Ａ部の部分抽出拡大図、
【図３】同レンズ装置の要部の変更例を示す図１中Ａ部の部分抽出拡大図、
【図４】同レンズ装置の要部を示す一部を破断した部分抽出外観側面図、
【図５】同レンズ装置の一部を破断した外観正面図、
【図６】同レンズ装置の要部の他の変更例を示す図１中Ａ部の部分抽出拡大図、
【図７】同レンズ装置を搭載したプロジェクタの側面図、
【図８】本発明の変更実施形態に係るレンズ装置の平面断面図、
【図９】同レンズ装置の要部を示す図８中Ｂ部の部分抽出拡大図、
【図１０】同レンズ装置の要部の変更例を示す図８中Ｂ部の部分抽出拡大図、
【発明を実施するための形態】
【００１９】
次に、本発明に係る好適実施形態を挙げ、図面に基づき詳細に説明する。
【００２０】
まず、本実施形態に係るレンズ装置１の全体的な概略構成について、図１を参照して説明する。
【００２１】
レンズ装置１は、レンズ鏡筒１１を備え、このレンズ鏡筒１１の内部には複数のレンズ群Ｌｆ，Ｌａ，Ｌｂ，Ｌｃ，Ｌｒを収容する。この場合、最も前側に位置するレンズ群Ｌｆは、フォーカシングレンズ部２となる。なお、各レンズ群Ｌｆ，Ｌａ…Ｌｒには、一枚又は二枚以上のレンズが含まれる。例示のレンズ群Ｌｆ…Ｌｒは五群であるが、この群数は任意である。
【００２２】
レンズ鏡筒１１は、固定筒部１２を備え、この固定筒部１２は内側の内筒部１２ｉと外側の外筒部１２ｏを備えるとともに、内筒部１２ｉの内部にはカム筒部１３を回動自在に収容する。また、内筒部１２ｉの筒体には、前後方向（軸方向）に沿って形成し、かつ周方向に等間隔で配した複数の直線溝１４…を有するとともに、カム筒部１３の筒体には、螺旋方向に沿って形成した複数のカム溝１５ａａ…，１５ａｂ…，１５ｂ…，１５ｃ…を有する。さらに、内筒部１２ｉの外周面上における軸方向中間位置には、ズームリング１６を回動自在に配するとともに、内筒部１２ｉの筒体には、軸方向に対する直角方向（周方向）に、ズームリング１６の回動範囲に対応させたガイド溝１７…を形成する。そして、ガイド溝１７…には、コロ部材１８…を収容し、このコロ部材１８…によりズームリング１６とカム筒部１３を連結する。一方、カム筒部１３の内部には、複数のレンズ群枠１９ａａ，１９ａｂ，１９ｂ，１９ｃを収容し、各レンズ群枠１９ａａ…の外周面から放射方向に突出し、かつ周方向に等間隔で配した複数のコロ部材２０ａａ…，２０ａｂ…，２０ｂ…，２０ｃ…を、上述したカム筒部１３のカム溝１５ａａ…，１５ａｂ…，１５ｂ…，１５ｃ…及び内筒部１２ｉの直線溝１４…にそれぞれ係合させる。
【００２３】
また、ズームリング１６の外周部１６ｓには、周方向に沿ってラック部２１を設けるとともに、外筒部１２ｏの外周面を利用して、ズーミング用モータ２２を取付ける。そして、ズーミング用モータ２２の回転シャフト２２ｓに設けたピニオン部２３はラック部２１に噛合させる。これにより、ズーミング用モータ２２を作動させれば、ズームリング１６を回動させることができ、このズームリング１６の回動変位は、コロ部材１８…を介してカム筒部１３に伝達される。この結果、各レンズ群枠１９ａａ，１９ａｂ，１９ｂ，１９ｃは前後方向に変位し、レンズ装置１のズーミング調整を行うことができる。なお、各レンズ群枠１９ａａ…は、同様に組付けるが、各レンズ群枠１９ａａ…に対応する各カム溝１５ａａ…の傾斜角は同一又は異なせて設定する。以上の構成が電動ズーミング機構Ｍｚとなる。他方、ズームリング１６の前方には、本発明の要部を構成する電動フォーカシング機構Ｍｆを配設する。
【００２４】
次に、本実施形態に係るレンズ装置１の要部を構成する電動フォーカシング機構Ｍｆについて、図１〜図６を参照して説明する。
【００２５】
内筒部１２ｉの外周面上におけるズームリング１６の前方であって、当該ズームリング１６に近接する位置には、フォーカスリング３を回動自在に配する。フォーカスリング３の前端は、内筒部１２ｉの前端よりも前方に突出させ、フォーカスリング３の前部における内周面には、レンズホルダ８をネジ３１…により固定する。そして、このレンズホルダ８の内周部により、最も前側に位置するレンズ群Ｌｆであるフォーカシングレンズ部２を支持する。また、レンズホルダ８の外周部の後部に設けたヘリコイドネジ（雄側ネジ）３２ｍは、内筒部１２ｉの内周部の前部に設けたヘリコイドネジ（雌側ネジ）３２ｆに螺合する。
【００２６】
さらに、外筒部１２ｏの外周面を利用して、フォーカシング用モータ５を取付けるとともに、フォーカシング用モータ５の回転シャフト５ｓにはピニオン部６を設ける。この場合、フォーカシング用モータ５は、図５に示すように、ズーミング用モータ２２に対して１８０゜反対側の位置に配設する。一方、フォーカスリング３の外周部３ｓの後部には周方向に沿ってラック部４を設け、このラック部４にピニオン部６を噛合させる。以上が、電動フォーカシング機構Ｍｆの基本的な構成となる。これにより、フォーカシング用モータ５を作動させれば、フォーカスリング３を回動させることができ、このフォーカスリング３の回動変位は、レンズホルダ８を回動変位となる。レンズホルダ８はヘリコイドネジ３２ｍが内筒部１２ｉのへリコイドネジ３２ｆに螺合しているため、フォーカスリング３は、自身の回動変位に対応して前後方向に変位し、レンズ装置１のフォーカシング調整を行うことができる。なお、フォーカスリング３は、回動変位するとともに、前後方向にも移動するため、ラック部４の幅方向長さ（軸方向長さ）は、フォーカスリング３の前後方向の移動を許容する長さ（幅）に設定される。
【００２７】
ところで、図１からも明らかなように、通常、フォーカシングレンズ部２は、レンズ装置１の最も前側に位置するレンズ群Ｌｆになるとともに、その重量も最も大きくなる。また、フォーカシング用モータ５の回転は、ピニオン部６とラック部４を介してフォーカスリング３に伝達されるため、フォーカシングレンズ部２側の重量（モーメント）が大きくなった場合には、フォーカシング用モータ５が回転を開始しても、フォーカシングレンズ部２側は追従しにくく、結局、フォーカスリング３側に少なからずショック（衝撃）が発生し、レンズ装置１に振れを生じる。
【００２８】
このため、本実施形態に係るレンズ装置１では、このときの衝撃を吸収するため、フォーカシングレンズ部２とラック部４間に、フォーカシングレンズ部２側とラック部４側を機械的に分離する分離部Ｓｍを設け、この分離部Ｓｍに弾性部材７を介在させてフォーカシングレンズ部２側とラック部４側を結合し、フォーカシングレンズ部２とラック部４を相対的に弾性変位可能に構成した。
【００２９】
この場合、フォーカスリング３は、図１に示すように、前リング部３ｆと後リング部３ｒの二分割形式に構成する。したがって、前リング部３ｆの後端部と後リング部３ｒの前端部間が分離部Ｓｍとなる。この分離部Ｓｍは、図１に示すように、できるだけラック部４に近い位置を選定することが、より有効な衝撃吸収作用を得る上で望ましい。図２は、図１におけるＡ部の部分抽出拡大図を示している。図２に示すように、後リング部３ｒの前端部には、前リング部３ｆの後端に設けた挿入部３３を挿入できる大径のフランジ部３４を形成する。フランジ部３４は、後リング部３ｒの前端から放射方向Ｆｒへ直角に立ち上げた起部３４ｓと、この起部３４ｓの先端から前方ヘ突出させた筒部３４ｃからなり、この筒部３４ｃの内側に挿入部３３を挿入することができる。この際、挿入部３３と筒部３４ｃ間に、放射方向Ｆｒに僅かなクリアランスＣｒを設け、これにより、所定範囲にわたって相対変位可能に構成する。また、挿入部３３は厚肉形成し、外周面から径方向にネジ孔部３５…を形成する。この場合、図５に示すように、周方向に等間隔により複数のネジ孔部３５…を設ける。そして、筒部３４ｃには、これらのネジ孔部３５…に対応する複数の規制孔部３６…を形成する。
【００３０】
一方、ネジ孔部３５…に螺着する規制ネジ３７…を用意する。規制ネジ３７…は、規制孔部３６…に収容する円柱形の頭部３７ｈ…を有し、この頭部３７ｈ…の外径は、図４に示すように、規制孔部３６…の内径よりも小さく選定し、頭部３７ｈ…と規制孔部３６…間には所定のクリアランス（遊び）Ｃａを設ける。これにより、前リング部３ｆと後リング部３ｒは、軸方向Ｆａへ所定範囲にわたって相対変位可能となる。さらに、起部３４ｓと挿入部３３間に介在させる弾性部材７を用意する。例示の弾性部材７は、所定の弾性を有するゴム素材により、全体をドーナツ形のゴムリング７ｇとして一体形成したものである。このため、起部３４ｓの内面（前面）には、ゴムリング７ｇを保持可能な保持凹部３８を周方向に沿ってリング形に設ける。
【００３１】
このようなフォーカスリング３は、次のように組立てることができる。まず、フランジ部３４の内側、即ち、保持凹部３８にゴムリング７ｇを嵌め入れる。そして、前リング部３ｆの挿入部３３をフランジ部３４の内側、即ち、筒部３４ｃの内側に挿入し、この状態において、規制ネジ３７…を、規制孔部３６…を通して各ネジ孔部３５…に螺着する。図２はこの状態を示す。これにより、フォーカシングレンズ部２側に位置する前リング部３ｆとラック部４側に位置する後リング部３ｒは、分離部Ｓｍに配したゴムリング７ｇを介して結合される。なお、フランジ部３４と挿入部３３間のゴムリング７ｇは圧縮させて介在させる。
【００３２】
このように、フォーカスリング３を前リング部３ｆと後リング部３ｒに二分割し、この前リング部３ｆと後リング部３ｒ間の軸方向Ｆａに、圧縮させたゴムリング７ｇを介在させ、かつ軸方向Ｆａの所定範囲にわたって相対的に弾性変位可能に結合するとともに、前リング部３ｆと後リング部３ｒ間の放射方向Ｆｒに所定のクリアランスＣｒを設けることにより、所定範囲にわたって相対変位可能に構成すれば、ゴムリング７ｇは、フォーカシング用モータ５（ラック部４）に対してより近い位置に配することができるため、衝撃吸収に係わる効果をより高めることができる。
【００３３】
他方、図３は、ゴムリング７ｇの変更例に係るゴムリング７ｅを示す。変更例に係るゴムリング７ｅは、前述したゴムリング７ｇに対して、さらに、筒部３４ｃと挿入部３３間のクリアランスＣｒに、圧縮させた薄い第二ゴムリング部７ｅｓを介在させたものであり、ゴムリング７ｅは、前述したゴムリング７ｇに第二ゴムリング部７ｅｓを一体に形成したものとなる。このようなゴムリング７ｅを使用すれば、フォーカシングレンズ部２側とラック部４側の放射方向Ｆｒ及び軸方向Ｆａの双方における位置的な安定性及び精度をより高めることができる。
【００３４】
また、図６（ａ），（ｂ）には、弾性部材７の他の変更例を示す。図６（ａ）は、弾性部材７として、スプリング７ｓ…を用いたものである。スプリング７ｓ…はネジ孔部３５…を設けた位置に対応させて配する。この変更例であっても、前述したゴムリング７ｇを介在させる場合と同様であり、フランジ部３４と挿入部３３間に圧縮させたスプリング７ｓ…を介在させるとともに、起部３４ｓの内面には、各スプリング７ｓ…を保持可能な断面円形をなす保持凹部３９…を各規制孔部３６…に対応させて設ける。なお、例示のスプリング７ｓ…はコイルスプリングであるが、その他、板バネやウェーブワッシャ等の各種スプリング類を利用可能である。
【００３５】
図６（ｂ）は、図６（ａ）の各スプリング７ｓ…に加え、各スプリング７ｓ…（弾性部材７）の弾性による加圧力の大きさを調整可能な加圧力調整部９を設けたものである。このため、各保持凹部３９…の中央から起部３４ｓの外面（後面）に貫通するネジ孔部４０…を形成し、このネジ孔部４０…に起部３４ｓの外面側から調整用ネジ４１…を螺合するとともに、各保持凹部３９…に露出（突出）する調整用ネジ４１…の先端と各保持凹部３９…に収容するスプリング７ｓ…間にスプリング受盤４２…を介在させる。これにより、調整用ネジ４１…をドライバ等で回せば、スプリング受盤４２…を軸方向Ｆａに進退変位させることができため、スプリング７ｓ…の圧縮度合を変更できる。このような加圧力調整部９を設ければ、使用状態等に応じて加圧力の大きさを最適化し、衝撃吸収に係わる効果をより高めることができる。
【００３６】
次に、本実施形態に係るレンズ装置１に備える電動フォーカシング機構Ｍｆの動作（機能）について、図１〜図７を参照して説明する。
【００３７】
例示のレンズ装置１は交換式レンズであり、固定筒部１２の後部は図７に示すプロジェクタＰに対して着脱することができる。プロジェクタＰは、光源部から射出された光束を画像情報に応じて変調して拡大投射するため、図７に示すように、支持部６１を用いて天吊り設置する場合も多い。したがって、この場合、図示を省略したリモコン等を用いてフォーカシング調整を行うことができる。
【００３８】
フォーカシング調整時には、フォーカシング用モータ５が作動し、回転シャフト５ｓに設けたピニオン部６が回転する。これにより、ピニオン部６に噛合するラック部４も回動変位し、一体のフォーカスリング３も回動する。フォーカスリング３の回動変位により、一体のレンズホルダ８も回動変位する。この際、レンズホルダ８のヘリコイドネジ３２ｍは、内筒部１２ｉのへリコイドネジ３２ｆに螺合しているため、フォーカスリング３が回動変位した際には、この回動に対応して前後方向に変位する。即ち、レンズ装置１のフォーカシング調整を行うことができる。
【００３９】
一方、前述したように、レンズ装置１が大型の場合、停止しているフォーカシング用モータ５が回転を開始した際に、フォーカスリング３が追従しにくい故に、フォーカスリング３側にショック（衝撃）が発生する。しかし、本実施形態に係るレンズ装置１によれば、フォーカシングレンズ部２側となる前リング部３ｆとラック部４側となる後リング部３ｒは、軸方向Ｆａの所定範囲（クリアランスＣａの相当分）にわたって相対的に弾性変位可能になるとともに、放射方向Ｆｒの所定範囲（クリアランスＣｒの相当分）にわたって相対変位可能となる。図２に仮想線で示す後リング部３ｒは、この後リング部３ｒが相対的に弾性変位した状態を示している。
【００４０】
したがって、フォーカシング用モータ５が回転を開始する際に、ショック（衝撃）が発生した場合であっても、ゴムリング７ｇにより当該衝撃を有効に吸収することができる。これにより、フォーカシングレンズ部２側への衝撃の伝播を遮断することができ、スクリーン上における無用な画面の揺れを防止して画面品位が損なわれる不具合を解消できる。特に、レンズ装置１が大型化（重量アップ）した場合には、より大きな効果を得ることができる。また、基本的には、フォーカシングレンズ部２とラック部４間に、ゴムリング７ｇを介在させれば足りるため、少ない部品点数と一部改良により容易に実施でき、レンズ装置１の機械的な精度を高めたり、プロジェクタ本体の剛性を高めるなどの他の対策はほとんど不要になるなど、実施の容易性及び低コスト性に優れる。
【００４１】
次に、本発明の変更実施形態に係るレンズ装置１について、図８〜図１０を参照して説明する。
【００４２】
変更実施形態に係るレンズ装置１は、図８に示すように、弾性部材７を介在させる位置を変更したものである。したがって、図８に示すレンズ装置１では、フォーカスリング３は一体形成する。即ち、図１に示した実施形態のように、前リング部３ｆと後リング部３ｒの二分割形式には構成しない。図８に示すレンズ装置１は、フォーカシングレンズ部２を支持するレンズホルダ８とフォーカスリング３間に分離部Ｓｍを設けた。通常、フォーカシングレンズ部２を支持するレンズホルダ８とフォーカスリング３は別体に構成する場合も多いため、僅かな形状変更等により、レンズホルダ８とフォーカスリング３間を、フォーカシングレンズ部２側とラック部４側を機械的に分離する分離部Ｓｍとして用いることができる。
【００４３】
図９及び図１０は、図８中Ｂ部の部分抽出拡大図を示す。通常、フォーカスリング３とレンズホルダ８を結合する場合、フォーカスリング３の内周部に、中心方向に突出したリング形の結合凸部４５を設けるとともに、レンズホルダ８の外周部に、放射方向に突出したリング形の結合凸部４６を設け、組付時に、結合凸部４５の先端と結合凸部４６の先端を衝き合わせることにより、周方向に等間隔となる複数の位置を固定ネジ３１…により固定（結合）する。このため、図９に示すように、一方の結合凸部４５に係合片部４５ｓを突出形成するとともに、他方の結合凸部４６に切欠部４６ｓを形成し、この切欠部４６ｓと係合片部４５ｓ間に弾性部材７を介在させた。また、固定ネジ３１…が挿通するフォーカスリング３に設けた挿通孔部４８…の内径を、挿通する当該固定ネジ３１…の部位の外径よりも大きく形成し、挿通孔部４８…と固定ネジ３１…間に所定のクリアランス（遊び）Ｃａを設けた。これにより、フォーカシングレンズ部２側となるレンズホルダ８とラック部４側となるフォーカスリング３間の軸方向Ｆａに対して、弾性部材７を圧縮させて介在させることができ、レンズホルダ８とラック部４は、軸方向Ｆａの所定範囲（クリアランスＣａの相当分）にわたって相対的に弾性変位可能となる。さらに、結合凸部４５の内径に対して結合凸部４６の外径を小さく選定して結合凸部４５と結合凸部４６間に所定のクリアランスＣｒを設ける。これにより、レンズホルダ８とラック部４は、放射方向Ｆｒの所定範囲（クリアランスＣｒの相当分）にわたって相対変位可能となる。
【００４４】
図９は、弾性部材７としてスプリング７ｓ…を用いた例を示すとともに、図１０は、弾性部材７としてゴムリング７ｇを用いた例を示す。なお、基本的な構成は、図１〜図６に示した実施形態と同様に実施することができる。したがって、図９及び図１０において、図１〜図６と同一の部分には同一の符号を付してその構成を明確にするとともに、その詳細な説明は省略する。
【００４５】
このように、フォーカスリング３の内部に配したフォーカシングレンズ部２を支持するレンズホルダ８と当該フォーカスリング３とを別体に構成し、このフォーカスリング３とレンズホルダ８間の軸方向Ｆａに、圧縮させた弾性部材７を介在させ、かつ軸方向Ｆａの所定範囲にわたって相対的に弾性変位可能に結合するとともに、フォーカスリング３とレンズホルダ８間の放射方向Ｆｒに所定のクリアランスＣｒを設けることにより、所定範囲にわたって相対変位可能に構成した場合であっても、前述した図６（ａ）に示す形態と同様の機能（作用）を発揮させることができる。図８の変更実施形態によれば、本来、別体に構成することが多いレンズホルダ８とフォーカスリング３間に、弾性部材７を配することができるため、更なる実施の容易化に寄与できる。
【００４６】
以上、好適実施形態（変更実施形態）について詳細に説明したが、本発明は、このような実施形態に限定されるものではなく、細部の構成，形状，素材，数量等において、本発明の要旨を逸脱しない範囲で、任意に変更，追加，削除することができる。例えば、フォーカスリング３を前リング部３ｆと後リング部３ｒに二分割し、この前リング部３ｆと後リング部３ｒ間に弾性部材７を配する場合と、フォーカスリング３とレンズホルダ８間に弾性部材７を配する場合の二つの形態を示したが、これらは一方のみの実施でもよいし、双方を組合わせた実施であってもよい。また、フォーカスリング３を前リング部３ｆと後リング部３ｒに二分割した例を挙げたが、三分割以上を排除するものではない。さらに、弾性部材７は、例示以外の各種弾性部材を利用することができる。
【産業上の利用可能性】
【００４７】
本発明に係るレンズ装置は、フォーカシング用モータによりフォーカスリングを回動させてフォーカシング調整を行う各種プロジェクタに利用できる。
【符号の説明】
【００４８】
１：レンズ装置，２：フォーカシングレンズ部，３：フォーカスリング，３ｓ：フォーカスリングの外周部，３ｆ：前リング部，３ｒ：後リング部，４：ラック部，５：フォーカシング用モータ，５ｓ：回転シャフト，６：ピニオン部，７：弾性部材，７ｅ：弾性部材，８：レンズホルダ，９：加圧力調整部，Ｍｆ：電動フォーカシング機構，Ｐ：プロジェクタ，Ｓｍ：分離部，Ｆａ：軸方向，Ｆｒ：放射方向，Ｃｒ：クリアランス
【図１】
2011133520.tif 000003
【図２】
2011133520.tif 000004
【図３】
2011133520.tif 000005
【図４】
2011133520.tif 000006
【図５】
2011133520.tif 000007
【図６】
2011133520.tif 000008
【図７】
2011133520.tif 000009
【図８】
2011133520.tif 000010
【図９】
2011133520.tif 000011
【図１０】
2011133520.tif 000012